(57)【要約】本発明は、開放した上部を通じて生ごみが投入され、一側には粉砕された生ごみが排出される排出口が形成されるハウジングと、前記ハウジングの内側に備えられ、前記ハウジングに投入される生ごみを粉砕し、本体の上部に突出ブレード及び折曲ブレードが形成された円盤状の粉砕カッターと、前記ハウジングの内側に備えられ、前記粉砕カッターを経た生ごみを２次粉砕する第２カッターと、前記粉砕カッターと前記第２カッターを回転させる回転軸が連結され、前記粉砕カッターと前記第２カッターを回転させる回転力を供給するモーターと、を含む生ごみ処理装置を提供する。したがって、粉砕カッター及び第２カッターによって生ごみを微細に粉砕させることができ、粉砕カッターの突出ブレードが異物を濾して出すことにより、異物によるカッターの破損と生ごみ処理装置の故障を防止することができ、粉砕カッターの折曲ブレードとハウジングの粉砕ブレードがハウジングの内側面に押されて、粉砕されなかった纎維材質を粉砕することができ、第２カッターの一側部が折り曲げられることにより、カッターに纎維質が絡まることを防止することができる。また、ハウジングの内部に突起と遮水部を備えることにより、ハウジングの内部に流入した生ごみと生ごみが粉砕されながら発生させる水の逆流を防止することができ、ハウジングの内側に隔壁を斜めに形成することにより、粉砕された生ごみが円滑に排出されるようにすることができ、ハウジングの外側に音響発生部を備えることにより、粉砕カッター及び第２カッターの回転によって生ごみが粉砕されながら発生させる騷音を減少させることができる。
2013518711.tif 000002
【特許請求の範囲】
【請求項１】
開放した上部を通じて生ごみが投入され、一側には粉砕された生ごみが排出される排出口が形成されるハウジングと、
前記ハウジングの内側に備えられ、前記ハウジングに投入される生ごみを粉砕し、本体の上部に突出ブレード及び折曲ブレードが形成された円盤状の粉砕カッターと、
前記ハウジングの内側に備えられ、前記粉砕カッターを経た生ごみを２次粉砕する第２カッターと、
前記粉砕カッターと前記第２カッターを回転させる回転軸が連結され、前記粉砕カッターと前記第２カッターを回転する回転力を供給するモーターと、を含む生ごみ処理装置。
【請求項２】
前記粉砕カッターは、円盤状の本体を有し、本体の中央上部には生ごみを粉砕する複数の突出ブレードが形成され、本体の外側面には一側端部が上部に突出して、前記ハウジングに投入された生ごみを粉砕する複数の折曲ブレードが形成される、請求項１に記載の生ごみ処理装置。
【請求項３】
前記円盤状の本体中央上部には複数の突出ブレードが一定回転角度を有するように形成され、前記複数の折曲ブレードは前記複数の突出ブレードの間に形成される、請求項２に記載の生ごみ処理装置。
【請求項４】
前記複数の突出ブレードは前記本体から回転方向に沿って直角に折り曲げられて突出し、粉砕された生ごみが流入する注入口が備えられ、前記円盤状の本体にはそれぞれの前記突出ブレードに備えられる注入口と連通する流出孔が形成される、請求項２に記載の生ごみ処理装置。
【請求項５】
前記粉砕カッターは円盤状の本体を有し、本体の上部には前記本体の回転方向に沿って直角に折り曲げられた流入口を備えた複数の突出ブレードが形成され、前記複数の突出ブレードは前記本体の中央から外周端に至るように形成される、請求項１に記載の生ごみ処理装置。
【請求項６】
前記複数の突出ブレードは前記本体の上部に一定回転角度を有するように形成され、前記流入口と連通して、前記流入口に流入した生ごみを下部に移送する流出口が形成される、請求項５に記載の生ごみ処理装置。
【請求項７】
前記粉砕カッターは円盤状の本体を有し、前記本体の上部には回転方向に外周端から本体中心部までの区間の中央まで上部に折り曲げられた複数の折曲ブレードが形成され、前記複数の折曲ブレードは一定角度を有するように形成される、請求項１に記載の生ごみ処理装置。
【請求項８】
前記複数の折曲ブレードには、粉砕された生ごみを下部に移送する移送部が形成される、請求項７に記載の生ごみ処理装置。
【請求項９】
前記第２カッターは第１刃部と第２刃部からなり、前記第２刃部は折り曲げられて第１刃部より上部に位置する、請求項１に記載の生ごみ処理装置。
【請求項１０】
前記第１刃部と前記第２刃部の一面には、前記第２カッターの回転方向に生ごみを粉砕する切削刃先が形成される、請求項９に記載の生ごみ処理装置。
【請求項１１】
前記ハウジングの外側一側面には、生ごみを分解する微生物が投入される微生物投入口が形成される、請求項１に記載の生ごみ処理装置。
【請求項１２】
前記排出口は前記ハウジングの内側の隔壁と連結され、前記隔壁は粉砕された生ごみの円滑な排出のために斜めに形成される、請求項１に記載の生ごみ処理装置。
【請求項１３】
前記ハウジングの内側には、前記ハウジングに投入された生ごみが逆流して排出されることを防止するための突起と、前記ハウジングの内側面に移動した生ごみを粉砕するための粉砕ブレードと、前記生ごみが粉砕されながら発生する水が逆流することを防止するための遮水部とが形成される、請求項１に記載の生ごみ処理装置。
【請求項１４】
前記ハウジングの外側には、前記粉砕カッターと前記第２カッターが駆動するとき、発生する騷音を減少するためのメロディーを発生する音響発生部を備える、請求項１に記載の生ごみ処理装置。
【発明の詳細な説明】
【技術分野】
【０００１】
本発明は生ごみ処理装置に係り、より詳しくは家庭や食堂から排出される生ごみを微細に粉砕して排出する生ごみ処理装置に関する。
【背景技術】
【０００２】
一般に、家庭や飲食店において、キッチンの流し台の下部に設置される生ごみ処理処置は、必要な場合に作動させて生ごみを微細に粉砕した後、排出管を通じて外部に排出するように構成されている。
【０００３】
このような生ごみ処理処置は、流し台の排水口下部に設置され、電動モーターによって回転する粉砕板または粉砕ブレードで生ごみが粉砕された後、排出管を通じて外部に排出される構成により、生ごみを便利に処理しているが、生ごみが粉砕された状態でそのまま外部に排出されることにより、下水道管で分解されなくて管路が詰まるとか不快なにおいが外部に上がる問題点があり、下水終末処理場の処理能力が著しく落ちる問題がある。
【０００４】
このような問題点を解決するために、生ごみを粉砕し、これに微生物を投入することにより、生ごみの処理効果を高めようとする技術が提案されて、生ごみの分解度を高め、においと下水道の詰まり現象を緩和している。
【０００５】
しかし、既存の生ごみ処理処置の場合、生ごみの粉砕過程において、モーターによって回転する粉砕板または粉砕ブレードが水とともに生ごみを回転させることにより、粉砕室の内側面に沿って飛び上がる現象（渦巻き）が発生して円滑に粉砕できない問題点がある。
【０００６】
また、単層で構成された粉砕板または粉砕ブレードで生ごみを粉砕するため、生ごみを微細に粉砕させにくく、生ごみに含まれ得るお箸のような異物によって粉砕板及び粉砕ブレードが破損される問題点がある。
【発明の概要】
【発明が解決しようとする課題】
【０００７】
本発明は、生ごみ処理装置に投入された生ごみを粉砕カッター及び第２カッターを用いて微細に粉砕し、生ごみに含まれ得るお箸などの異物を濾して出すための突出ブレード及び折曲ブレードを備えた生ごみ処理装置を提供することにその目的がある。
【０００８】
また、本発明は、ハウジングに投入された生ごみが粉砕されるときに発生する水と粉砕された生ごみがハウジングを逆流して外部に流出されることを防止し、粉砕生ごみが排出口に円滑に排出されるようにし、２段で構成されたカッターによって生ごみが粉砕されながら発生する騷音を減少するための音響発生部を備えた生ごみ処理装置を提供することに他の目的がある。
【課題を解決するための手段】
【０００９】
本発明は、開放した上部を通じて生ごみが投入され、一側には粉砕された生ごみが排出される排出口が形成されるハウジングと、前記ハウジングの内側に備えられ、前記ハウジングに投入される生ごみを粉砕し、本体の上部に突出ブレード及び折曲ブレードが形成された円盤状の粉砕カッターと、前記ハウジングの内側に備えられ、前記粉砕カッターを経た生ごみを２次粉砕する第２カッターと、及び前記粉砕カッターと前記第２カッターを回転させる回転軸が連結され、前記粉砕カッターと前記第２カッターを回転させる回転力を供給するモーターと、を含む生ごみ処理装置を提供する。
【００１０】
本発明による生ごみ処理装置の粉砕カッターは、円盤状の本体を有し、本体の中央上部には生ごみを粉砕する複数の突出ブレードが形成されることができ、本体の外側面には一側端部が上部に突出して、前記ハウジングに投入された生ごみを粉砕する複数の折曲ブレードが形成されることができ、前記円盤状の本体中央上部には複数の突出ブレードが一定回転角度を有するように形成されることができ、前記複数の折曲ブレードは前記複数の突出ブレードの間に形成されることができ、前記複数の突出ブレードは前記本体から回転方向に沿って直角に折り曲げられて突出することができ、粉砕された生ごみが流入する注入口が備えられることができ、前記円盤状の本体にはそれぞれの前記突出ブレードに備えられる注入口と連通する流出孔が形成されることができる。
【００１１】
また、前記粉砕カッターは円盤状の本体を有し、本体の上部には前記本体の回転方向に沿って直角に折り曲げられた流入口を備えた複数の突出ブレードが形成されることができ、前記複数の突出ブレードは前記本体の中央から外周端に至るように形成されることができ、前記複数の突出ブレードは前記本体の上部に一定回転角度を有するように形成されることができ、前記流入口と連通して、前記流入口に流入した生ごみを下部に移送する流出口が形成されることができる。
【００１２】
また、前記粉砕カッターは円盤状の本体を有し、前記本体の上部には回転方向に外周端から本体中心部までの区間の中央まで上部に折り曲げられた複数の折曲ブレードが形成されることができ、前記複数の折曲ブレードは一定角度を有するように形成されることができ、前記複数の折曲ブレードには、粉砕された生ごみを下部に移送する移送部が形成されることができる。
【００１３】
また、本発明による生ごみ処理装置の第２カッターは第１刃部と第２刃部からなり、前記第２刃部は折り曲げられて第１刃部より上部に位置することができ、前記第１刃部と前記第２刃部の一面には、前記第２カッターの回転方向に生ごみを粉砕する切削刃先が形成されることができる。
【００１４】
そして、本発明による生ごみ処理装置のハウジングの外側一側面には、生ごみを分解する微生物が投入される微生物投入口が形成されることができ、前記排出口は前記ハウジングの内側の隔壁と連結され、前記隔壁は粉砕された生ごみの円滑な排出のために斜めに形成されることができる。
【００１５】
また、前記ハウジングの内側には、前記ハウジングに投入された生ごみが逆流して排出されることを防止するための突起と、前記ハウジングの内側面に移動した生ごみを粉砕するための粉砕ブレードと、前記生ごみが粉砕されながら発生する水が逆流することを防止するための遮水部とが形成されることができ、前記ハウジングの外側には、前記粉砕カッターと前記第２カッターが駆動するとき、発生する騷音を減少するためのメロディーを発生する音響発生部を備えることができる。
【発明の効果】
【００１６】
本発明による粉砕カッター及びこれを用いた生ごみ処理装置は次のような効果を持つ。
【００１７】
第一、粉砕カッター及び第２カッターによって生ごみを微細に粉砕することができ、粉砕カッターの突出ブレードが異物を濾して出すことにより、異物によるカッターの破損と生ごみ処理装置の故障を防止することができる。
【００１８】
第二、粉砕カッターの折曲ブレードとハウジングの粉砕ブレードがハウジングの内側面に押されて、粉砕されなかった纎維材質を粉砕することができ、第２カッターの一側部が折り曲げられることにより、カッターに纎維質が絡まることを防止することができる。
【００１９】
第三、ハウジングの内部に突起と遮水部を備えることにより、ハウジングの内部に流入した生ごみと生ごみが粉砕されながら発生する水の逆流を防止することができ、ハウジングの内側に隔壁を斜めに形成することにより、粉砕された生ごみが円滑に排出されるようにすることができる。
【００２０】
第四、ハウジングの外側に音響発生部を備えることにより、粉砕カッター及び第２カッターの回転によって生ごみが粉砕されながら発生される騷音を減少することができる。
【図面の簡単な説明】
【００２１】
【図１】図１は、本発明による生ごみ処理装置の全体的な外観を示す斜視図である。
【図２】図２は、図１のハウジングの内側に備えられる粉砕カッターの一例を示す斜視図である。
【図３】図３は、図１のハウジングの内側に備えられる粉砕カッターの他の例を示す斜視図である。
【図４】図４は、図１のハウジングの内側に備えられる粉砕カッターのさらに他の例を示す斜視図である。
【図５】図５は、図１のハウジングの内側に備えられる第２カッターを示す斜視図である。
【図６】図６は、図１の構成を概略的に示す断面図である。
【図７】図７は、図６のハウジングの内側に生ごみが投入された状態を示す断面図である。
【図８】図８は、図６のハウジングの内側に投入された生ごみが粉砕カッター及び第２カッターによって粉砕される状態を示す断面図である。
【図９】図９は、図６の粉砕カッター及び第２カッターによって粉砕された生ごみが排出口に排出される状態を示す断面図である。
【発明を実施するための形態】
【００２２】
以下、図面を参照して本発明の好適な実施例について説明する。
【００２３】
本明細書及び請求範囲に使用された用語や単語は通常意味、及び辞書に記載された意味に限定して解釈されてはいけなく、発明者はその自分の発明を最良の方法で説明するために用語の概念を適宜定義することができるという原則に従って本発明の技術的思想に合う意味及び概念に解釈しなければならない。
【００２４】
したがって、本明細書に記載された実施例と図面に示された構成は本発明の最も好適な一実施例に過ぎないもので、本発明の技術的思想をいずれも示すものではないので、この出願時点でこれらを取り替えることができる多様な均等物及び変形例があり得ることを理解しなければならない。
【００２５】
図１及び図２と図５〜図９を参照すれば、本発明による生ごみ処理装置１００は、ハウジング１１０と、粉砕カッター１２０と、第２カッター１３０と、モーター１５０とを含む。
【００２６】
前記ハウジング１１０は上部が開放するように形成され、開放した上部に生ごみが投入され、前記ハウジング１１０の内部に投入された生ごみは粉砕カッター１２０と第２カッター１３０によって粉砕され、前記ハウジング１１０の一側に形成された排出口１１１を通じて外部に排出される。
【００２７】
前記ハウジング１１０には、微生物投入部１１２、隔壁１１６、内接面から突出する突起１１７、及び前記ハウジング１１０の内側壁面に移動した生ごみを粉砕する粉砕ブレード１１８が設けられ、前記微生物投入部１１２は、前記ハウジング１１０内に投入された生ごみを分解する微生物を投入する役目をする。
【００２８】
微生物が注入される注入口（図示せず）は、回転する粉砕カッター１２０によって前記ハウジング１１０の内部で回転する生ごみの回転方向に平行な方向に形成されることが好ましい。その理由は、回転する生ごみが注入口（図示せず）を通じて微生物投入部１１２に逆流することを防止するためである。
【００２９】
前記微生物投入部１１２には微生物噴射ポンプ１１３が備えられる。前記微生物噴射ポンプ１１３は微生物を噴射する役目をし、前記ハウジング１１０の内部に微生物を噴射することは、可動センサー（図示せず）によって前記ハウジング１１０の内部に生ごみが投入されることを感知すれば、前記微生物噴射ポンプ１１３から微生物が噴射されて前記注入口（図示せず）を通じて前記ハウジング１１０の内部に微生物が注入されるものである。
【００３０】
前記ハウジング１１０の開口した上部に挿入されるカバー１１４には、生ごみが前記粉砕カッター１２０によって粉砕されるとき、発生する水が逆流することを防止するための遮水部１１５が形成される。
【００３１】
前記カバー１１４は、遮水部１１５が設けられて水の逆流を防止する役目だけではなく、前記カバー１１４の下端部が前記ハウジング１１０の内側壁と連結されることにより、前記ハウジング１１０と前記カバー１１４の空間部に粉砕された生ごみが詰まる現象を防止する役目もする。
【００３２】
前記遮水部１１５は前記カバー１１４の下端部に一体に形成されるが、これに限定されるものではなく、前記カバー１１４の下端部に形成されずに前記ハウジング１１０の内側面上部に形成されることができる。
【００３３】
前記ハウジング１１０の内側には隔壁１１６が形成される。前記隔壁１１６は前記ハウジング１１０の一側に形成される前記排出口１１１と連結され、前記隔壁１１６は、前記粉砕カッター１２０と後述する第２カッター１３０によって粉砕された生ごみが前記排出口１１１に付加の吸入手段を使わなくても円滑に移動する。
【００３４】
前記ハウジング１１０の内側には前記ハウジング１１０の内接面から突出する突起１１７が形成される。前記突起１１７は、前記ハウジング１１０の内側に投入された生ごみが前記粉砕カッター１２０によって回転するが、その回転力によって外部に流出されることを防止する役目をし、前記突起１１７は多様な形状に前記ハウジング１１０の内接面に形成されることが好ましい。
【００３５】
前記ハウジング１１０の内側に投入されて粉砕される生ごみは、前記カバー１１４の遮水部１１５と前記突起１１７により、逆流することを二重に遮断するものである。
【００３６】
前記ハウジング１１０の内側面には粉砕ブレード１１８が形成される。前記粉砕ブレード１１８は前記突起１１７より下部に位置し、前記ハウジング１１０に投入されて前記ハウジング１１０の内側壁面に移動した生ごみを前記粉砕カッター１２０とともに粉砕する役目をする。
【００３７】
前記ハウジング１１０の内側に備えられ、前記ハウジング１１０に投入された生ごみを１次に粉砕する粉砕カッター１２０の一例を図２を参照して説明すれば、円盤状の本体１２１の上部に突出ブレード１２２が三つが形成され、前記突出ブレード１２２間の角度は１２０°になるようにしたが、これに限定されるものではなく、作業の効率性のために、前記突出ブレード１２２が三つ以下あるいは三つ以上前記本体１２１の上部に形成されることができる。
【００３８】
前記折曲ブレード１２５は前記複数の突出ブレード１２２の間に形成される。前記折曲ブレード１２５は、ハウジング１１０に投入されたが前記突出ブレード１２２によって前記ハウジング１１０の中央部で粉砕されないで回転力によって前記ハウジング１１０の内側壁面に移動する生ごみを粉砕させ、前記突出ブレード１２２は、前記ハウジング１１０に投入された生ごみを前記ハウジング１１０の中央部で粉砕する役目をする。
【００３９】
前記突出ブレード１２２には注入口１２３が備えられる。前記注入口１２３には、前記突出ブレード１２２と前記折曲ブレード１２５によって微細に粉砕された生ごみが流入する。
【００４０】
円盤状の前記本体１２１には、複数の突出ブレード１２２に備えられた注入口１２３と連通する流出孔１２４が形成される。前記流出孔１２４は、前記突出ブレード１２２と前記折曲ブレード１２５によって粉砕されて前記注入口１２３に流入する生ごみを下部に排出する役目をする。
【００４１】
また、前記粉砕カッター１２０の他の例を図３を参照して説明すれば、円盤状の本体１２１を有し、前記本体１２１の上部には複数の突出ブレード１２２が形成される。前記複数の突出ブレード１２２には、前記本体１２１の回転方向に沿って直角に折り曲げられた注入口１２３と前記注入口１２３と連通して、前記注入口１２３に流入した生ごみを下部に移送する流出孔１２４が備えられる。
【００４２】
前記複数の突出ブレード１２２は前記本体１２１の中央から外周端に至るように形成され、前記本体１２１の上部に一定回転角度を有するように形成される。ここで、前記突出ブレード１２２が三つ形成され、前記突出ブレード１２２間の角度は１２０°になるようにしたが、これに限定されるものではなく、粉砕作業の効率性のために三つ以上または三つ以下で形成することができる。
前記突出ブレード１２２は生ごみを粉砕する役目もするが、生ごみに含まれ得るお箸などの異物を濾して出す役目もするようになる。
【００４３】
また、前記粉砕カッター１２０のさらに他の例を図４を参照して説明すれば、円盤状の本体１２１を有し、前記本体１２１の上部には、回転方向に外周端から前記本体１２１の中心部までの区間の中央まで上部に折り曲げられた折曲ブレード１２５が形成される。
【００４４】
前記折曲ブレード１２５には粉砕された生ごみを下部に移送する移送部１２６が形成される。前記移送部１２６は前記本体１２１の上部に折り曲げられた折曲ブレード１２５の空間部である。
【００４５】
前記折曲ブレード１２５は前記本体１２１の上部に一定回転角度を有するように形成される。ここで、前記折曲ブレード１２５が三つ形成され、前記折曲ブレード１２５間の角度は１２０°になるようにしたが、これに限定されるものではなく、粉砕作業の効率性のために三つ以上または三つ以下で形成することができる。
前記折曲ブレード１２５も、前記突出ブレード１２２と同様に、生ごみを粉砕する役割及び飲食物に含まれ得るお箸などの異物を濾して出す役目をする。
【００４６】
前記ハウジング１１０の内側の前記粉砕カッター１２０の下部には、前記粉砕カッター１２０で粉砕されて下部に移動した生ごみを微細に２次粉砕する第２カッター１３０が備えられる。
【００４７】
前記第２カッター１３０を図５を参照して説明すれば、前記第２カッター１３０は第１刃部１３２と第２刃部１３４からなり、前記第１刃部１３２及び前記第２刃部１３４の一面にはそれぞれ切削刃先１３６が形成される。前記切削刃先１３６は、前記第２カッター１３０の回転方向によって、前記第１刃部１３２と前記第２刃部１３４に対応するように形成される。
【００４８】
前記第２刃部１３４は折り曲げられて前記第１刃部１３２より上部に位置し、前記第１刃部１３２と前記第２刃部１３４の高さを異に形成し、前記第２刃部１３４を折り曲げる理由は、前記第２カッター１３０によって微細に粉砕される生ごみの纎維質が前記第２カッター１３０に絡まる現象を減らすためである。
【００４９】
前記第２カッター１３０の下部には下板１６０が備えられる。前記下板１６０には複数の貫通ホール１６２が形成されるので、前記粉砕カッター１２０と前記第２カッター１３０によって微細に粉砕された生ごみが前記貫通ホール１６２を通じて隔壁１１６に排出される。
【００５０】
前記ハウジング１１０の外側には音響発生部１５０が備えられる。前記音響発生部１５０は前記粉砕カッター１２０と前記第２カッター１３０が駆動して生ごみを粉砕するときに発生する騷音を減少する役目をし、発生する騷音を減少するために前記音響発生部１５０からはメロディーが発生する。
【００５１】
前記音響発生部１５０は前記粉砕カッター１２０と前記第２カッター１３０を回転させる回転力を供給する後述するモーター１４０の駆動によって動作することが好ましい。その理由は、前記モーター１４０が駆動して前記粉砕カッター１２０と前記第２カッター１３０が生ごみを粉砕させながら騷音が発生することになり、前記モーター１４０の駆動が停止すれば生ごみを粉砕する動作が中止されて騷音が発生しなくなるからである。
【００５２】
前記粉砕カッター１２０と前記第２カッター１３０は前記隔壁１１６によって上下に区分された前記ハウジング１１０の上部に備えられ、前記ハウジング１１０の下部には前記粉砕カッター１２０と前記第２カッター１３０を回転させる動力を供給するモーター１４０が備えられる。
【００５３】
前記粉砕カッター１２０と前記第２カッター１３０はモーター１４０から供給される回転力によって回転しながら前記ハウジング１１０の内部に投入される生ごみを粉砕するようになる。前記モーター１４０から供給される回転力は前記モーター１４０に連結された回転軸１４２を介して前記粉砕カッター１２０と前記第２カッター１３０に伝達される。
【００５４】
前記モーター１４０から供給される回転力によって回転する前記粉砕カッター１２０と前記第２カッター１３０によって微細に粉砕された生ごみは前記ハウジング１１０の内側に形成された隔壁１１６によって排出口１１１に移動して前記ハウジング１１０の外側に排出される。
【００５５】
図７〜図９を参照して、本発明の実施例による生ごみ処理装置１００に投入された生ごみを粉砕カッター１２０と第２カッター１３０で粉砕し、粉砕された生ごみを排出する過程を説明すれば次のようである。
【００５６】
前記粉砕カッター１２０と前記第２カッター１３０が備えられた前記ハウジング１１０の上部開口部を通じて生ごみが投入され、投入された生ごみに、前記ハウジング１１０に形成された微生物投入部１１２を通じて、生ごみを分解する微生物が注入される。
【００５７】
前記ハウジング１１０の内部に投入された生ごみは前記粉砕カッター１２０によって１次粉砕され、前記粉砕カッター１２０によって粉砕された生ごみは前記粉砕カッター１２０の注入口１２３と流出孔１２４を通じて第２カッター１３０に移動する。
【００５８】
前記注入口１２３と前記流出孔１２４を通じて移動した１次粉砕の生ごみは前記第２カッター１３０によってもっと微細に粉砕され、前記第２カッター１３０の下部に備えられた前記下板１６０に移動し、前記下板１６０に形成された複数の貫通ホール１６２を通じて前記下板１６２の下部に形成された隔壁１１６に移動し、斜めに形成された前記隔壁１１６によって前記ハウジング１１０の一側に形成された排出口１１１に移動して生ごみ処理装置１００の外部に排出される。
【００５９】
したがって、本発明の実施例による生ごみ処理装置１００は、粉砕カッター１２０と第２カッター１３０を備えて生ごみを微細に粉砕することができ、粉砕カッター１２０の突出ブレード１２２及び折曲ブレード１２５が生ごみに含まれ得る異物を濾して出して、異物によるカッターの破損と生ごみ処理装置１００の故障を防止することができ、ハウジング１１０の内側面に粉砕ブレード１１８が備えられることで、粉砕カッター１２０の回転によってハウジング１１０の内側面に押される生ごみを粉砕することができ、第２カッター１３０の一側部が折り曲げられることにより、第２カッター１３０に纎維質が絡まる現象を防止することができる。
【００６０】
また、ハウジング１１０の内部に突起１１７と遮水部１１５を備えることにより、ハウジング１１０の内部に流入した生ごみと生ごみが粉砕されながら発生する水の逆流を防止することができ、ハウジング１１０の内側に隔壁１１６を斜めに形成することにより、粉砕された生ごみが円滑に排出できる。
【００６１】
また、ハウジング１１０の外部に音響発生部１５０を備えることで、粉砕カッター１２０と第２カッター１３０が生ごみを粉砕するときに発生する騷音を音響発生部１５０から発生するメロディーを用いて減少することができる。
以下、添付図面を参照して本発明の他の実施例について説明する。
【００６２】
本発明の他の実施例による生ごみ処理装置１００は、本発明の一実施例による生ごみ処理装置１００の構成と粉砕カッター１２０を除いた残りの構成は同様である。したがって、以下、本発明の一実施例と同様な構成についての具体的な説明は省略し、粉砕カッター１２０の具体的な構造について説明する。
【００６３】
図３は本発明の他の実施例による生ごみ処理装置１００に備えられる粉砕カッター１２０を示す図である。図３を参照して説明すれば、前記粉砕カッター１２０は円盤状の本体１２１を有し、前記本体１２１の上部には複数の突出ブレード１２２が形成される。前記複数の突出ブレード１２２には、前記本体１２１の回転方向に沿って直角に折り曲げられた注入口１２３と、前記注入口１２３と連通して前記注入口１２３に流入した生ごみを下部に移送する流出孔１２４とが備えられる。
【００６４】
前記複数の突出ブレード１２２は前記本体１２１の中央から外周端に至るように形成され、前記本体１２１の上部に一定回転角度を有するように形成される。ここで、前記突出ブレード１２２は三つが形成され、前記突出ブレード１２２間の角度は１２０°になるようにしたが、これに限定されるものではなく、粉砕作業の効率性のために三つ以上または三つ以下で形成することができる。
前記突出ブレード１２２は生ごみを粉砕する役目もするが、生ごみに含まれ得るお箸などの異物を濾して出す役目もする。
【００６５】
また、前記粉砕カッター１２０のさらに他の例を図４を参照して説明すれば、円盤状の本体１２１を有し、前記本体１２１の上部には回転方向に外周端から前記本体１２１の中心部までの区間の中央まで上部に折り曲げられた折曲ブレード１２５が形成される。
【００６６】
前記折曲ブレード１２５には粉砕された生ごみを下部に移送する移送部１２６が形成される。前記移送部１２６は前記本体１２１の上部に折り曲げられた折曲ブレード１２５の空間部である。
【００６７】
前記折曲ブレード１２５は前記本体１２１の上部に一定回転角度を有するように形成される。前記折曲ブレード１２５は三つが形成され、前記折曲ブレード１２５間の角度は１２０°になるようにしたが、これに限定されるものではなく、粉砕作業の効率性のために三つ以上または三つ以下で形成することができる。
前記折曲ブレード１２５も前記突出ブレード１２２と同様に生ごみを粉砕する役割及び飲食物に含まれ得るお箸などの異物を濾して出す役目をする。
【００６８】
本発明は図面に示す実施例を参照して説明したが、これは例示的なものに過ぎず、この技術分野の通常的な知識を持った者であれば、これから多様な変形及び均等な他の実施例が可能であることを理解すべできである。
したがって、本発明の真正な技術的保護範囲は請求範囲の技術的思想によって決まらなければならない。
【産業上の利用可能性】
【００６９】
本発明は家庭や商店から排出される生ごみを微細に粉砕することができる生ごみ処理装置に適用可能である。
【図１】
2013518711.tif 000003
【図２】
2013518711.tif 000004
【図３】
2013518711.tif 000005
【図４】
2013518711.tif 000006
【図５】
2013518711.tif 000007
【図６】
2013518711.tif 000008
【図７】
2013518711.tif 000009
【図８】
2013518711.tif 000010
【図９】
2013518711.tif 000011
【国際調査報告】
2013518711.tif 000012
2013518711.tif 000013
2013518711.tif 000014
2013518711.tif 000015